(57)【特許請求の範囲】
【請求項１】
箱状の冷却庫（11）の一端に形成される開口部（14）を塞ぐように該開口部（14）に取り付けられるケーシング本体部（21）と、
前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、
前記冷凍サイクルユニット（30）を制御して前記冷却庫（11）の性能を診断するための診断運転を実行する診断運転実行部（81）と、
前記診断運転時に、前記冷却庫（11）の性能を判定する性能判定部（82）とを備え、
前記性能判定部（82）は、前記診断運転時に、前記冷却庫（11）の気密性能を判定するように構成され、
前記冷凍サイクルユニット（30）は、前記蒸発器（35）の着霜量が所定量を上回ると、該蒸発器（35）のデフロスト動作を開始させるデフロスト開始判定部（83）を有し、
前記診断運転実行部（81）は、前記診断運転の開始時に、前記蒸発器（35）で前記冷却庫（11）内を冷却する冷却動作を行うように構成され、
前記性能判定部（82）は、前記冷却動作の開始後の所定の時点から前記デフロスト開始判定部（83）が前記デフロスト動作を開始させるまでの間の時間Δｔ１に基づいて、前記冷却庫（11）の気密性能を判定するように構成されていることを特徴とする冷凍装置。
【請求項２】
箱状の冷却庫（11）の一端に形成される開口部（14）を塞ぐように該開口部（14）に取り付けられるケーシング本体部（21）と、
前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、
前記冷凍サイクルユニット（30）を制御して前記冷却庫（11）の性能を診断するための診断運転を実行する診断運転実行部（81）と、
前記診断運転時に、前記冷却庫（11）の性能を判定する性能判定部（82）とを備え、
前記性能判定部（82）は、前記診断運転時に、前記冷却庫（11）の気密性能を判定するように構成され、
前記蒸発器（35）のデフロスト動作中に該蒸発器（35）の着霜量が所定量を下回ると、前記デフロスト動作を終了させるデフロスト終了判定部（85）を更に備え、
前記診断運転実行部（81）は、前記診断運転の開始時に、前記蒸発器（35）で前記冷却庫（11）内を冷却する冷却動作を実行し、その後に前記デフロスト動作を実行するように構成され、
前記性能判定部（82）は、前記デフロスト動作が実行されてから前記デフロスト終了判定部（85）が前記デフロスト動作を終了させるまでの間の時間Δｔ２に基づいて、前記冷却庫（11）の気密性能を判定するように構成されていることを特徴とする冷凍装置。
【請求項３】
箱状の冷却庫（11）の一端に形成される開口部（14）を塞ぐように該開口部（14）に取り付けられるケーシング本体部（21）と、
前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、
前記冷凍サイクルユニット（30）を制御して前記冷却庫（11）の性能を診断するための診断運転を実行する診断運転実行部（81）と、
前記診断運転時に、前記冷却庫（11）の性能を判定する性能判定部（82）とを備え、
前記性能判定部（82）は、前記診断運転時に、前記冷却庫（11）の気密性能を判定するように構成され、
前記蒸発器（35）のデフロスト動作中に該蒸発器（35）の着霜量が所定量を下回ると、デフロスト動作を終了させるデフロスト終了判定部（85）を更に備え、
前記診断運転実行部（81）は、前記蒸発器（35）で前記冷却庫（11）内を冷却する冷却動作後に、前記デフロスト動作を行い、前記デフロスト終了判定部（85）が該デフロスト動作を終了させると前記冷却動作を再開するように、冷却動作とデフロスト動作とを交互に実行するように構成され、
前記性能判定部（82）は、所定の回のデフロスト動作の実行時間と、該デフロスト動作の前の回のデフロスト動作の実行時間とを比較して、前記冷却庫（11）の気密性能を判定するように構成されていることを特徴とする冷凍装置。
【請求項４】
箱状の冷却庫（11）の一端に形成される開口部（14）を塞ぐように該開口部（14）に取り付けられるケーシング本体部（21）と、
前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、
前記冷凍サイクルユニット（30）を制御して前記冷却庫（11）の性能を診断するための診断運転を実行する診断運転実行部（81）と、
前記診断運転時に、前記冷却庫（11）の性能を判定する性能判定部（82）とを備え、
前記性能判定部（82）は、前記診断運転時に、前記冷却庫（11）の気密性能を判定するように構成され、
前記蒸発器（35）の着霜量が所定量を上回ると、該蒸発器（35）のデフロスト動作を開始させるデフロスト開始判定部（83）を更に備え、
前記診断運転実行部は、前記蒸発器（35）で前記冷却庫（11）内を冷却する冷却動作時に、前記デフロスト開始判定部（83）がデフロスト動作を開始させると、その後に冷却動作を再開するように、冷却動作とデフロスト動作とを交互に実行するように構成され、
前記性能判定部（82）は、所定の回の冷却動作の実行時間と、該冷却動作の前の回の冷却動作の実行時間とを比較して、前記冷却庫（11）の気密性能を判定するように構成されていることを特徴とする冷凍装置。
【請求項５】
箱状の冷却庫（11）の一端に形成される開口部（14）を塞ぐように該開口部（14）に取り付けられるケーシング本体部（21）と、
前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、
前記冷凍サイクルユニット（30）を制御して前記冷却庫（11）の性能を診断するための診断運転を実行する診断運転実行部（81）と、
前記診断運転時に、前記冷却庫（11）の性能を判定する性能判定部（82）とを備え、
前記冷凍サイクルユニット（30）は、冷却庫（11）内の空気の温度を検出するための温度検出部（70）を有し、
前記診断運転実行部（81）は、前記蒸発器（35）で冷却庫（11）内を所定の温度まで冷却する冷却動作を行い、該冷却動作の後に該蒸発器（35）を停止させる休止動作を行い、該休止動作の開始から所定の設定期間が経過すると再び冷却動作を実行するように構成され、
前記性能判定部（82）は、前記設定期間における冷却庫（11）内の温度の変化に基づいて、前記冷却庫（11）の性能を判定するように構成され、
前記冷凍サイクルユニット（30）は、冷却庫（11）内の空気の湿度を検出するための湿度検出部（72）を有し、
前記性能判定部（82）は、前記設定期間における湿度の変化に基づいて、冷却庫（11）の気密性能を判定するように構成されていることを特徴とする冷凍装置。
【請求項６】
請求項１乃至５のいずれか１つにおいて、
前記冷凍サイクルユニット（30）は、前記冷却庫（11）内の空気が前記蒸発器（35）が通過するように、該冷却庫（11）内の空気を循環させる庫内ファン（36）を有し、
前記診断運転実行部（81）は、前記診断運転の冷却動作時に前記庫内ファン（36）を運転させるように構成されていることを特徴とする冷凍装置。
【請求項７】
請求項１乃至６のいずれか１つにおいて、
前記冷却庫（11）は、冷凍車両（10）に搭載されるトレーラ（11）で構成されていることを特徴とする冷凍装置。
【発明の詳細な説明】
【技術分野】
【０００１】
本発明は、冷却対象物が貯蔵される冷却庫の開口部に取り付けられて、冷却庫内を冷却する冷凍装置に関するものである。
【背景技術】
【０００２】
従来より、海上輸送等に用いられるコンテナや、陸上輸送等に用いられるトレーラ等の庫内を冷却する冷凍装置が知られている。例えば特許文献１には、この種の冷凍装置（トレーラ用冷凍装置）が開示されている。この冷凍装置は、冷凍車両のトレーラの開口部に取り付けられるケーシング本体部と、該ケーシング本体部に支持される冷凍サイクルユニットとを有している。冷凍サイクルユニットは、蒸気圧縮式の冷凍サイクルを行う冷媒回路を構成している。具体的に、冷凍サイクルユニットは、圧縮機、放熱器、膨張弁、及び蒸発器を有している。圧縮機、放熱器、及び膨張弁は、冷却庫の外側（即ち、庫外）に位置するようにケーシング本体部に支持されている。蒸発器は、冷却庫の内側（即ち、庫内）に位置するようにケーシング本体部に支持されている。
【０００３】
冷却庫（トレーラ）の内部では、蒸発器を空気が循環するように、空気通路が形成されている。一方、冷媒回路を循環する冷媒は、蒸発器を流れる際に、庫内の空気から吸熱して蒸発する。これにより、トレーラの庫内の空気が冷却され、食品等の保存がなされる。
【先行技術文献】
【特許文献】
【０００４】
【特許文献１】特開２００５−２４５９９６号公報
【発明の概要】
【発明が解決しようとする課題】
【０００５】
上述した冷凍装置では、トレーラやコンテナ等の冷却庫の開口部をケーシング本体部で覆うことで、冷却庫の内部を密閉している。つまり、冷却庫にケーシング本体部を取り付けることで、冷却庫とケーシング本体部との間の隙間をシールし、庫外の熱が冷却庫内に侵入してしまうのを防止している。また、冷却庫では、例えば冷却庫の扉部や他の隙間部にパッキン等を取り付けることで、庫外の熱が冷却庫内に侵入してしまうことも防止している。更に、トレーラやコンテナ等の冷却庫では、冷却庫の断熱性を保つために、冷却庫の壁面等に発泡樹脂等の断熱材を用いている。つまり、この種の冷凍装置では、冷凍装置の冷却能力だけでなく、冷却庫の性能（気密性能や断熱性能）も、装置全体としての省エネ性に大きく影響を与えることになる。
【０００６】
ところが、この種の冷凍装置では、冷却庫の開口部にケーシング本体部を取り付ける際、取り付け加工が十分な場合、冷却庫の開口部とケーシング本体部との間に隙間が形成されて、冷却庫の気密性能が損なわれてしまうことがある。また、例えば冷却庫の製造時において、壁面に形成される断熱材が全域に亘って均一に形成されず、断熱性能が損なわれてしまうこともある。このような理由により、冷却庫の気密性能や断熱性能が低下してしまうと、冷凍装置側の性能（冷却能力）が十分であるにも拘わらず、装置全体としての省エネ性が低下してしまうという問題が生じる。
【０００７】
本発明は、かかる点に鑑みてなされたものであり、その目的は、冷却庫側の気密性能や断熱性能の低下に起因して、省エネ性が低下してしまうのを防止できる冷凍装置を提供することである。
【課題を解決するための手段】
【０００８】
第１の発明は、冷凍装置を対象とし、箱状の冷却庫（11）の一端に形成される開口部（14）を塞ぐように該開口部（14）に取り付けられるケーシング本体部（21）と、該ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、該冷凍サイクルユニット（30）を制御して前記冷却庫（11）の性能を診断するための診断運転を実行する診断運転実行部（81）と、前記診断運転時に、前記冷却庫（11）の性能を判定する性能判定部（82）とを備え、前記性能判定部（82）は、前記診断運転時に、前記冷却庫（11）の気密性能を判定するように構成され、
前記冷凍サイクルユニット（30）は、前記蒸発器（35）の着霜量が所定量を上回ると、該蒸発器（35）のデフロスト動作を開始させるデフロスト開始判定部（83）を有し、
前記診断運転実行部（81）は、前記診断運転の開始時に、前記蒸発器（35）で前記冷却庫（11）内を冷却する冷却動作を行うように構成され、
前記性能判定部（82）は、前記冷却動作の開始後の所定の時点から前記デフロスト開始判定部（83）が前記デフロスト動作を開始させるまでの間の時間Δｔ１に基づいて、前記冷却庫（11）の気密性能を判定するように構成されていることを特徴とする。
【０００９】
第１の発明では、冷凍装置のケーシング本体部（21）が、箱状の冷却庫（11）の開口部（14）に取り付けられる。冷凍サイクルユニット（30）が運転されると、圧縮機（31）で圧縮された冷媒が冷媒回路を循環し、冷凍サイクルが行われる。つまり、圧縮機（31）で圧縮された冷媒は、放熱器（32）で室外空気に放熱した後、所定の減圧機構等で減圧される。減圧された冷媒は、冷却庫（11）の内部に設けられた蒸発器（35）を流れる。蒸発器（35）では、冷却庫（11）内の空気と冷媒とが熱交換し、冷媒が空気から吸熱して蒸発する。これにより、冷却庫（11）内の空気が冷却される。
【００１０】
ところが、このようにして冷却庫（11）の内部を冷却しても、冷却庫（11）に何らかの支障があり、冷却庫（11）の気密性能や断熱性能が本来の性能よりも低下すると、冷却庫（11）内の冷却が不十分となり、省エネ性の低下を招く。特に、冷却庫（11）の開口部（14）とケーシング本体部（21）との間の取り付けが不十分であると、開口部（14）とケーシング本体部（21）との間から室外の熱が庫内に侵入してしまい、冷却庫（11）内の冷却効果が大幅に低下してしまう。そこで、本発明の冷凍装置では、診断運転実行部（81）が、診断運転を実行するように冷凍サイクルユニット（30）を制御する。診断運転が行われると、性能判定部（82）が、所定の判定条件に基づいて、冷却庫（11）の性能を判定する。これにより、何らかの不具合により、冷却庫（11）の気密性能や断熱性能が低下しているのを早めに把握することができ、適切な対応を施すことができる。
【００１１】
第１の発明では、診断運転実行部（81）により、診断運転が実行されると、性能判定部（82）が、所定の判定条件に基づいて、冷却庫（11）の気密性能を判定する。これにより、例えばケーシング本体部（21）と開口部（14）との間からの外気侵入を早めに把握することができ、この外気侵入に対して適切な対応を施すことができる。
【００１２】
第１の発明では、診断運転が開始されると、蒸発器（35）によって冷却庫（11）内が冷却される冷却動作が行われる。この冷却動作中において、蒸発器（35）の着霜量が所定量を上回ると、デフロスト開始判定部（83）が、蒸発器（35）の霜を融かすデフロスト動作を開始させる。
【００１３】
ここで、前記冷却動作中において、仮に冷却庫（11）の開口部（14）等に隙間があり、この隙間から庫外の空気（外気）が冷却庫（11）内（庫内）に侵入していたとする。このような場合には、外気中の水分が庫内に侵入してしまうことから、蒸発器（35）の表面での霜付きも早くなる。よって、この場合には、冷却動作の開始後の所定の時点から、デフロスト動作が開始されるまでの時間Δｔ１が短くなる。以上のように、冷却動作を開始してからデフロスト動作へ移行するまでの期間は、庫内への外気侵入、即ち、冷却庫（11）の気密性能を示す指標となる。そこで、性能判定部（82）は、この時間Δｔ１に基づいて、冷却庫（11）の気密性能を判定する。
【００１４】
第２の発明は、冷凍装置を対象とし、箱状の冷却庫（11）の一端に形成される開口部（14）を塞ぐように該開口部（14）に取り付けられるケーシング本体部（21）と、
前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、前記冷凍サイクルユニット（30）を制御して前記冷却庫（11）の性能を診断するための診断運転を実行する診断運転実行部（81）と、前記診断運転時に、前記冷却庫（11）の性能を判定する性能判定部（82）とを備え、前記性能判定部（82）は、前記診断運転時に、前記冷却庫（11）の気密性能を判定するように構成され、前記蒸発器（35）のデフロスト動作中に該蒸発器（35）の着霜量が所定量を下回ると、前記デフロスト動作を終了させるデフロスト終了判定部（85）を更に備え、前記診断運転実行部（81）は、前記診断運転の開始時に、前記蒸発器（35）で前記冷却庫（11）内を冷却する冷却動作を実行し、その後に前記デフロスト動作を実行するように構成され、前記性能判定部（82）は、前記デフロスト動作が実行されてから前記デフロスト終了判定部（85）が前記デフロスト動作を終了させるまでの間の時間Δｔ２に基づいて、前記冷却庫（11）の気密性能を判定するように構成されていることを特徴とする。
【００１５】
第２の発明では、診断運転が開始されると、蒸発器（35）によって冷却庫（11）内が冷却される冷却動作が行われる。この冷却動作の後には、デフロスト動作が実行され、蒸発器（35）の除霜が行われる。デフロスト動作中において、蒸発器（35）の着霜量が所定量を下回ると、デフロスト終了判定部（85）が、デフロスト動作を終了させる。
【００１６】
ここで、前記冷却動作中において、仮に冷却庫（11）の開口部（14）等に隙間があり、この隙間から外気が庫内へ侵入していたとする。このような場合には、外気中の水分が庫内に侵入してしまうことから、蒸発器（35）の表面に付着する着霜量も多くなる。よって、この場合には、デフロスト動作が実行されてから、デフロスト終了判定部（85）がデフロスト動作を終了させるまでの間の時間Δｔ２が長くなる。以上のように、デフロスト動作が開始してから終了するまでの期間は、庫内への外気侵入、即ち、冷却庫（11）の気密性能を示す指標となる。そこで、性能判定部（82）は、この時間Δｔ２に基づいて、冷却庫（11）の気密性能を判定する。
【００１７】
第３の発明は、冷凍装置を対象とし、箱状の冷却庫（11）の一端に形成される開口部（14）を塞ぐように該開口部（14）に取り付けられるケーシング本体部（21）と、前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、前記冷凍サイクルユニット（30）を制御して前記冷却庫（11）の性能を診断するための診断運転を実行する診断運転実行部（81）と、前記診断運転時に、前記冷却庫（11）の性能を判定する性能判定部（82）とを備え、前記性能判定部（82）は、前記診断運転時に、前記冷却庫（11）の気密性能を判定するように構成され、前記蒸発器（35）のデフロスト動作中に該蒸発器（35）の着霜量が所定量を下回ると、デフロスト動作を終了させるデフロスト終了判定部（85）を更に備え、前記診断運転実行部（81）は、前記蒸発器（35）で前記冷却庫（11）内を冷却する冷却動作後に、前記デフロスト動作を行い、前記デフロスト終了判定部（85）が該デフロスト動作を終了させると前記冷却動作を再開するように、冷却動作とデフロスト動作とを交互に実行するように構成され、前記性能判定部（82）は、所定の回のデフロスト動作の実行時間と、該デフロスト動作の前の回のデフロスト動作の実行時間とを比較して、前記冷却庫（11）の気密性能を判定するように構成されていることを特徴とする。
【００１８】
第３の発明では、診断運転において、冷却動作とデフロスト動作とが交互に実行される。つまり、冷却動作の後、デフロスト動作が実行され、デフロスト終了判定部（85）がデフロスト動作を終了させると、再び冷却動作が行われる。その後、再びデフロスト動作が行われる。
【００１９】
ここで、仮に冷却庫（11）の気密性能が十分に確保されている場合、冷却動作、デフロスト動作を交互に行うと、デフロスト動作の実行時間が徐々に短くなっていく。なぜなら、デフロスト動作によって蒸発器（35）の除霜が行われ、融解した水がドレン水として庫外へ排出されると、冷却庫（11）内の湿度が漸次低下していくからである。従って、このような場合には、蒸発器（35）の着霜量も徐々に少なくなっていくため、デフロスト動作の終了のタイミングが早くなる。その結果、前回のデフロスト動作の実行時間よりも、今回のデフロスト動作の実行時間の方が短くなる。
【００２０】
これに対し、仮に冷却庫（11）の気密性能が不十分である場合には、デフロスト動作を行った後にも外気侵入により庫内の湿度が再び高くなってしまう。よって、この場合には、前回のデフロスト動作の実行時間に対して、今回のデフロスト動作の実行時間がさほど短くならないか、あるいは両者の実行時間が同等か、あるいは今回の実行時間の方が長くなってしまうことがあり得る。
【００２１】
そこで、性能判定部（82）は、このような前後の回のデフロスト動作の実行時間を比較することで、冷却庫（11）の気密性能を判定する。
【００２２】
第４の発明は、冷凍装置を対象とし、箱状の冷却庫（11）の一端に形成される開口部（14）を塞ぐように該開口部（14）に取り付けられるケーシング本体部（21）と、前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、前記冷凍サイクルユニット（30）を制御して前記冷却庫（11）の性能を診断するための診断運転を実行する診断運転実行部（81）と、前記診断運転時に、前記冷却庫（11）の性能を判定する性能判定部（82）とを備え、前記性能判定部（82）は、前記診断運転時に、前記冷却庫（11）の気密性能を判定するように構成され、前記蒸発器（35）の着霜量が所定量を上回ると、該蒸発器（35）のデフロスト動作を開始させるデフロスト開始判定部（83）を更に備え、前記診断運転実行部は、前記蒸発器（35）で前記冷却庫（11）内を冷却する冷却動作時に、前記デフロスト開始判定部（83）がデフロスト動作を開始させると、その後に冷却動作を再開するように、冷却動作とデフロスト動作とを交互に実行するように構成され、前記性能判定部（82）は、所定の回の冷却動作の実行時間と、該冷却動作の前の回の冷却動作の実行時間とを比較して、前記冷却庫（11）の気密性能を判定するように構成されていることを特徴とする。
【００２３】
第４の発明では、診断運転において、冷却動作とデフロスト動作とが交互に実行される。ここで、仮に冷却庫（11）の気密性能が十分である場合には、冷却動作の実行時間が徐々に長くなっていく。なぜなら、デフロスト動作によって蒸発器（35）の除霜が行われ、融解した水がドレン水として庫外へ排出されると、冷却庫（11）内の湿度が漸次低下していくからである。従って、このような場合には、蒸発器（35）の着霜量も徐々に少なくなっていくため、デフロスト動作が開始されるタイミングが遅くなっていく。その結果、前回の冷却動作の実行時間よりも、今回の冷却動作の実行時間の方が長くなる。
【００２４】
これに対し、仮に冷却庫（11）の気密性能が不十分である場合には、デフロスト動作を行った後にも外気侵入により庫内の湿度が再び高くなってしまう。よって、この場合いは、前回の冷却動作の実行時間に対して、今回の冷却動作の実行時間がさほど長くならないか、あるいや両者の実行時間が同等か、あるいは今回の実行時間の方が短くなってしまうことがあり得る。
【００２５】
そこで、性能判定部（82）は、このような前後の回の冷却動作の実行時間を比較することで、冷却庫（11）の気密性能を判定する。
【００２６】
第５の発明は、冷凍装置を対象とし、箱状の冷却庫（11）の一端に形成される開口部（14）を塞ぐように該開口部（14）に取り付けられるケーシング本体部（21）と、前記ケーシング本体部（21）の庫外側に設けられる圧縮機（31）及び放熱器（32）と、前記ケーシング本体部（21）の庫内側に設けられる蒸発器（35）とを有する冷凍サイクルユニット（30）と、前記冷凍サイクルユニット（30）を制御して前記冷却庫（11）の性能を診断するための診断運転を実行する診断運転実行部（81）と、前記診断運転時に、前記冷却庫（11）の性能を判定する性能判定部（82）とを備え、前記冷凍サイクルユニット（30）は、冷却庫（11）内の空気の温度を検出するための温度検出部（70）を有し、前記診断運転実行部（81）は、前記蒸発器（35）で冷却庫（11）内を所定の温度まで冷却する冷却動作を行い、該冷却動作の後に該蒸発器（35）を停止させる休止動作を行い、該休止動作の開始から所定の設定期間が経過すると再び冷却動作を実行するように構成され、前記性能判定部（82）は、前記設定期間における冷却庫（11）内の温度の変化に基づいて、前記冷却庫（11）の性能を判定するように構成され、前記冷凍サイクルユニット（30）は、冷却庫（11）内の空気の湿度を検出するための湿度検出部（72）を有し、前記性能判定部（82）は、前記設定期間における湿度の変化に基づいて、冷却庫（11）の気密性能を判定するように構成されていることを特徴とする。
【００２７】
第５の発明では、診断運転において、冷却動作、休止動作、冷却動作が順に行われる。具体的に、まず初回の冷却動作では、蒸発器（35）によって冷却庫（11）内が所定の温度まで冷却される。その後、休止動作が実行され、蒸発器（35）が停止状態となる。この休止動作から所定の設定期間が経過すると、冷却動作が再開され、冷却庫（11）内が再び冷却される。
【００２８】
ここで、仮に冷却庫（11）の気密性能や断熱性能が本来の性能よりも低い場合、休止動作が開始してから冷却動作が再開されるまでの設定期間（即ち、蒸発器（35）が停止状態となる期間）において、庫内の温度が比較的急に上昇してしまう。これに対し、仮に冷却庫（11）の気密性能や断熱性能が十分である場合、この設定期間において、庫内の温度は緩やかにしか上昇しない。そこで、性能判定部（82）は、このような蒸発器（35）の停止期間における、庫内の温度の変化に基づいて、冷却庫（11）の性能を判定する。
【００２９】
第５の発明では、冷凍サイクルユニット（30）に湿度検出部（72）が設けられる。診断運転時には、蒸発器（35）が休止状態となる第２動作から第３動作までの設定期間において、湿度検出部（72）によって庫内の湿度が検出される。
【００３０】
ここで、仮に冷却庫（11）に隙間が形成され、外気が庫内に侵入してしまう場合、外気中に含まれた水分が庫内に入り込むため、設定期間において、湿度検出部（72）で検出された湿度が上昇する。これに対し、仮に冷却庫（11）が十分に気密である場合、外気中の水分が庫内に入り込むこともない。従って、設定期間において、湿度検出部（72）で検出された湿度も変化しない。そこで、性能判定部（82）は、このような蒸発器（35）の休止期間における、庫内の湿度の変化に基づいて、冷却庫（11）の性能を判定する。
【００３１】
第６の発明は、第１乃至第５のいずれか１つの発明において、前記冷凍サイクルユニット（30）は、前記冷却庫（11）内の空気が前記蒸発器（35）が通過するように、該冷却庫（11）内の空気を循環させる庫内ファン（36）を有し、前記診断運転実行部（81）は、前記診断運転の冷却動作時に前記庫内ファン（36）を運転させるように構成されていることを特徴とする。
【００３２】
第６の発明では、診断運転の冷却動作時に庫内ファン（36）が運転される。これにより、冷却庫（11）内の空気が順次、蒸発器（35）を通過して冷却されるため、冷却庫（11）内を速やかに冷却することができる。このようにして、冷却庫（11）内の空気が露点温度以下まで冷却されると、空気中の水分が凝縮して空気を除湿することができる。その結果、外気侵入の影響による庫内の湿度変化が顕著となるため、性能判定部（82）による冷却庫（11）の気密性能の判定精度が向上する。
【００３３】
第７の発明は、第１乃至第６のいずれか１つの発明において、前記冷却庫（11）は、冷凍車両（10）に搭載されるトレーラ（11）で構成されていることを特徴とする。
【００３４】
第７の発明では、第１から第６の発明の冷凍装置によって冷却される冷却庫（11）が、冷凍車両（10）に搭載されるトレーラ（11）で構成される。トレーラ（11）は、比較的大型であり、ケーシング本体部（21）の取り付け部（開口部（14））や、扉部等における気密性を確保しにくい。また、トレーラ（11）の製造時において、該トレーラ（11）の壁面等の断熱加工を十分施せない場合もある。しかしながら、本発明の冷凍装置では、トレーラ（11）の気密性能や断熱性能を自動的な運転（診断運転）によって判別でき、適切な対処を施すことができる。
【発明の効果】
【００３５】
本発明によれば、冷却庫（11）の開口部（14）にケーシング本体部（21）が取り付けられる冷凍装置において、冷却庫（11）の気密性能や断熱性能を判定する診断運転を行い、この冷却庫（11）の性能を判定できるようにしている。従って、例えばケーシング本体部（21）と開口部（14）との間の隙間からの外気侵入や、冷却庫（11）の断熱部材の施工不良等を自動的に把握することができ、このような不具合に対して迅速な対応を施すことができる。その結果、冷却庫（11）の性能不良に起因して冷凍装置の省エネ性が損なわれてしまうことを未然に回避できる。
【００３６】
特に、第１〜第５の発明によれば、冷凍装置の冷却性能や、庫内の着霜に大きく影響を与える、冷却庫（11）の気密性能（即ち、庫内への外気の侵入）を速やかに把握できる。
【００３７】
第１の発明によれば、診断運転において、冷却動作の後からデフロスト動作が開始される期間を利用して、冷却庫（11）の気密性能を把握することができる。また、第２の発明によれば、デフロスト動作が開始してから終了するまでの期間を利用して、冷却庫（11）の気密性能を把握することができる。更に、第３の発明によれば、冷却動作とデフロスト動作とを交互に行い、前後のデフロスト動作の実行時間を比較することで、冷却庫（11）の気密性能を容易に把握することができる。また、第４の発明によれば、冷却動作とデフロスト動作とを交互に行い、前後の冷却動作の実行時間を比較することで、冷却庫（11）の気密姿勢能を容易に把握することができる。
【００３８】
第５の発明によれば、冷却動作を行った後、蒸発器（35）を停止させる休止動作を行うことで、この休止動作中の冷却庫（11）内の温度変化を利用して、冷却庫（11）の性能を把握することができる。特に、第５の発明によれば、この休止動作における冷却庫（11）の湿度変化を利用することで、庫内への外気の侵入、即ち、冷却庫（11）の気密性能を容易に把握することができる。
【００３９】
第６の発明では、診断運転の冷却動作中に庫内ファン（36）を運転することで、冷却庫（11）内の空気を積極的に循環させることができる。従って、冷却庫（11）を速やかに冷却でき、冷却庫（11）の性能を速やかに判定できる。また、冷却庫（11）内の空気を露点温度以下まで冷却することで、冷却庫（11）内の湿度も速やかに低下できる。つまり、冷却庫（11）内に元々存在していた空気中の水分を速やかに除去することで、外気侵入に起因する水分の変化を把握し易くなり、冷却庫（11）の気密性能の判定精度を向上できる。
【００４０】
第７の発明では、加工精度や取り付け精度によって、特に気密性能や断熱性能が変化し易いトレーラ（11）について、このトレーラ（11）の性能を判定できる。従って、トレーラ（11）の性能不良を速やかに改善することで、冷凍車両（10）の省エネ性や信頼性を確保できる。
【図面の簡単な説明】
【００４１】
【図１】図１は、実施形態に係る冷凍車両の側面図である。
【図２】図２は、実施形態に係る冷凍装置の縦断面図である。
【図３】図３は、実施形態に係る冷凍サイクルユニットの配管系統図である。
【図４】図４は、実施形態１に係るコントローラの概略のブロック図である。
【図５】図５は、実施形態に係る冷凍サイクルユニットの配管系統図であり、冷却動作における冷媒の流れを示したものである。
【図６】図６は、実施形態に係る冷凍サイクルユニットの配管系統図であり、デフロスト動作における冷媒の流れを示したものである。
【図７】図７は、実施形態１の診断運転における、冷却庫内の温度と、経過時間との関係を示したグラフである。
【図８】図８は、実施形態１の変形例１の診断運転における、冷却庫内の温度と、経過時間との関係を示したグラフである。
【図９】図９は、実施形態２に係るコントローラの概略のブロック図である。
【図１０】図１０は、実施形態２の診断運転における、動作状態と、経過時間との関係を示したタイムチャートである。
【図１１】図１１は、実施形態２の変形例１に係るコントローラの概略のブロック図である。
【図１２】図１２は、実施形態２の変形例１の診断運転における、動作状態と、経過時間との関係を示したタイムチャートである。
【図１３】図１３は、実施形態３に係るコントローラの概略のブロック図である。
【図１４】図１４は、実施形態３の診断運転における、冷却庫内の温度と、経過時間との関係を示したグラフである。
【図１５】図１５は、その他の実施形態に係るコントローラの概略のブロック図である。
【発明を実施するための形態】
【００４２】
以下、本発明の実施形態を図面に基づいて詳細に説明する。なお、以下の実施形態は、本質的に好ましい例示であって、本発明、その適用物、あるいはその用途の範囲を制限することを意図するものではない。
【００４３】
《発明の実施形態１》
図１に示すように、本発明に係る冷凍装置（20）は、冷凍車両（10）のトレーラ（11）に搭載される、トレーラ用冷凍装置を構成している。冷凍車両（10）は、例えば生鮮食品や冷凍食品等を陸上輸送するものである。冷凍車両（10）は、冷却庫を構成するトレーラ（11）と、トレーラ（11）を牽引するトラクタ（12）とを有している。
【００４４】
トレーラ（11）は、冷凍車両（10）の進行方向（即ち、前後方向）に縦長の直方体形状で、且つ前端が開放された箱状に形成されている。トレーラ（11）の内部には、冷却対象となる冷凍食品等が貯蔵される庫内空間（13）が形成される。トレーラ（11）の前端には、開口部（14）が形成され、この開口部（14）に冷凍装置（20）が設けられる。トレーラ（11）の後端には、開閉自在な扉部（15）が設けられる。また、トレーラ（11）の各壁面には、図示しないが発泡樹脂等の断熱部材が埋め込まれている。
【００４５】
〈冷凍装置の構成〉
図２に示すように、冷凍装置（20）は、前記開口部（14）を閉塞するケーシング本体部（21）と、庫内空間（13）を冷却するための種々の構成要素から成る冷凍サイクルユニット（30）とを備えている。
【００４６】
ケーシング本体部（21）は、トレーラ（11）の開口部（14）の外縁部にボルトナット等の固定部材（16）を介して取り付けられている。これにより、トレーラ（11）の庫内空間（13）は、ケーシング本体部（21）によって密閉される。なお、ケーシング本体部（21）と、トレーラ（11）の開口部（14）との間には、両者の隙間を埋めるためのシール部材（図示省略））が設けられる。
【００４７】
ケーシング本体部（21）は、上部に前方に膨出する膨出部（22）が形成され、下部にトレーラ（11）の開口部（14と略面一な平板部（23）が形成されている。また、ケーシング本体部（21）は、厚み方向に積層される略同一形状の３つの部材（24,25,26）を有している。具体的に、ケーシング本体部（21）は、庫外（室外）に面する庫外ケーシング部（24）と、庫内（庫内空間（13））に面する庫内ケーシング部（25）と、庫外ケーシング部（24）と庫内ケーシング部（25）との間に介設される断熱ケーシング部（26）とを有している。庫外ケーシング部（24）は、例えばアルミニウム製であり、庫内ケーシング部（25）は、例えば強化繊維プラスチック（ＦＲＰ）製であり、断熱ケーシング部（26）は、例えば断熱性に優れた発泡樹脂製である。断熱ケーシング部（26）は、庫外ケーシング部（24）と庫内ケーシング部（25）との間の隙間に、発泡樹脂が充填されることで形成される。なお、庫外ケーシング部（24）の外側（前方）には、前面カバー（図示省略）が取り付けられており、庫外ケーシング部（24）の前面側を覆っている。
【００４８】
ケーシング本体部（21）の平板部（23）の前面（庫外側）には、上部寄りに第１支持板部（27）が形成され、下部寄りに第２支持板部（28）が形成されている。第１支持板部（27）には、圧縮機（31）及び放熱器（32）が設置され、第２支持板部（28）には、エンジン発電機（33）が設置されている。また、放熱器（32）の近傍には、庫外ファン（34）（図２では図示が省略されている）が設けられている。
【００４９】
庫内空間（13）には、ケーシング本体部（21）の近傍に仕切板（29）が設けられている。仕切板（29）は、トレーラ（11）の底部、及びトレーラ（11）の天井部と、それぞれ所定の間隔を空けるようにして、上下方向に延びている。これにより、庫内ケーシング部（25）と仕切板（29）との間には、循環流路（18）が形成される。循環流路（18）には、蒸発器（35）と庫内ファン（36）とが設けられている。庫内ファン（36）は、蒸発器（35）の上方に配設され、循環流路（18）の下方の空気を上方へ搬送するように構成されている。つまり、庫内ファン（36）は、蒸発器（35）の下流側に設けられている。
【００５０】
〈冷凍サイクルユニットの冷媒回路の構成〉
冷凍サイクルユニット（30）は、蒸気圧縮式の冷凍サイクルが行われる冷媒回路（40）を備えている。冷媒回路（40）は、複数の冷媒配管と、これらの冷媒配管に接続される各種の要素部品で構成されている。冷媒回路（40）には、所定の冷媒が充填されている。
【００５１】
図３に示すように、冷媒回路（40）は、主回路（41）とホットガスバイパス回路（42）と過冷却回路（43）とを有している。主回路（41）には、上述した圧縮機（31）、放熱器（凝縮器（32））、膨張弁（37）、及び蒸発器（35）が直列的に順に接続されている。
【００５２】
圧縮機（31）は、圧縮機構を駆動するモータ（図示省略）を有している。この圧縮機（31）のモータの回転数は、インバータによって多段階に制御される。つまり、圧縮機（31）は、運転容量が可変に構成されている。放熱器（32）及び蒸発器（35）は、いずれもフィンアンドチューブ式の熱交換器で構成されている。上述のように、放熱器（32）は、庫外に配置されている。放熱器（32）の近傍には、庫外ファン（34）が設けられる。放熱器（32）では、庫外の空気と冷媒とが熱交換する。上述したように、蒸発器（35）は、庫内に配置されている。蒸発器（35）の近傍には、庫内ファン（36）が設けられる。蒸発器（35）では、庫内の空気と冷媒とが熱交換する。また、蒸発器（35）の下側には、ドレンパン（44）が設けられている。ドレンパン（44）は、上側が開放された扁平な容器状に形成されている。ドレンパン（44）の内部には、蒸発器（35）から剥がれ落ちた霜や氷塊や、空気中から凝縮した結露水等が回収される。膨張弁（37）は、パルスモータによって開度が多段階に調節可能に構成されている。
【００５３】
圧縮機（31）と放熱器（32）との間の高圧ガス配管（45）には、油分離器（47）と逆止弁（CV）と第１電動弁（MV1）とが順に設けられている。油分離器（47）の油戻し管（47a）は、過冷却回路（43）に接続されている。油戻し管（47a）には、キャピラリーチューブ（CP）が設けられている。逆止弁（CV）は、図１に示す矢印の方向への冷媒の流れを許容し、その逆の流れを禁止している。第１電動弁（MV1）は、パルスモータによって開度が多段階に調節可能に構成されている。
【００５４】
放熱器（32）と膨張弁（37）との間の高圧液配管（38）には、レシーバ（48）と冷却用部材（49）とドライヤ（50）と第１開閉弁（SV1）とプレート熱交換器（51）とが順に設けられている。冷却用部材（49）は、内部に冷媒の流路が形成され、外部にインバータ回路のパワー素子が接触している（図示省略）。つまり、冷却用部材（49）は、冷媒によってパワー素子を冷却するように構成されている。第１開閉弁（SV1）は、開閉自在な電磁弁で構成されている。ドライヤ（50）は、放熱器（32）を流れた液冷媒中の水分を捕捉するように構成されている。
【００５５】
プレート熱交換器（51）は、放熱器（32）を流れた液冷媒を冷却するものである。プレート熱交換器（51）は、１次側通路（51a）と２次側通路（51b）とを有している。つまり、プレート熱交換器（51）では、１次側通路（51a）を流れる冷媒と２次側通路（51b）を流れる冷媒とが熱交換する。１次側通路（51a）は、主回路（41）に接続され、２次側通路（51b）は、過冷却回路（43）のインジェクション配管（52）に接続される。インジェクション配管（52）の流入端は、主回路（41）における冷却用部材（49）と第１開閉弁（SV1）の間に接続している。インジェクション配管（52）の流出端は、圧縮機（31）の圧縮途中（中間圧力状態）の圧縮室と接続している。インジェクション配管（52）における２次側通路（51b）の流入側には、第２開閉弁（SV2）と第２電動弁（MV2）とが設けられている。第２開閉弁（SV2）は、開閉自在な電磁弁で構成されている。第２電動弁（MV2）は、パルスモータによって開度が多段階に調節可能であり、冷媒を減圧する減圧機構を構成している。
【００５６】
ホットガスバイパス回路（42）は、１本の主管（52）と、該主管（52）から分岐する２本の分岐通路（53,54）（第１分岐管（53）と第２分岐管（54））とを有している。主管（52）の流入端は、高圧ガス配管（45）における逆止弁（CV）と第１電動弁（MV1）との間に接続している。主管（52）には、第３開閉弁（SV3）が設けられている。第３開閉弁（SV3）は、開閉自在な電磁弁で構成されている。
【００５７】
第１分岐管（53）は、一端が主管（52）の流出端と接続し、他端が膨張弁（37）と蒸発器（35）との間の低圧液配管（55）と接続している。同様に、第２分岐管（54）も、一端が主管（52）の流出端と接続し、他端が低圧液配管（55）と接続している。第２分岐管（54）は、第１分岐管（53）よりも長い冷媒配管で構成されている。また、第２分岐管（54）は、ドレンパン（44）の底部に沿うように蛇行して配設される、ドレンパンヒータ（56）を有している。ドレンパンヒータ（56）は、ドレンパン（44）の内部を冷媒によって加熱するように構成されている。以上のようにして、ホットガスバイパス回路（42）は、圧縮機（31）で圧縮した冷媒（圧縮機（31）から吐出された高温高圧のガス冷媒）を蒸発器（35）へ供給するためのバイパス回路を構成している。
【００５８】
冷媒回路（40）には、各種のセンサ類も設けられている。具体的に、高圧ガス配管（45）には、高圧圧力センサ（60）と高圧圧力スイッチ（61）と吐出温度センサ（62）とが設けられている。高圧圧力センサ（60）は、圧縮機（31）から吐出される高圧ガス冷媒の圧力を検出する。吐出温度センサ（62）は、圧縮機（31）から吐出される高圧ガス冷媒の温度を検出する。蒸発器（35）と圧縮機（31）の間の低圧ガス配管（57）には、低圧圧力センサ（63）と吸入温度センサ（64）とが設けられている。低圧圧力センサ（63）は、圧縮機（31）に吸入される低圧ガス冷媒の圧力を検出する。吸入温度センサ（64）は、圧縮機（31）に吸入される低圧ガス冷媒の温度を検出する。
【００５９】
インジェクション配管（52）には、２次側通路（51b）の流入側に第１流入温度センサ（65）が、２次側通路（51b）の流出側に第１流出温度センサ（66）がそれぞれ設けられている。第１流入温度センサ（65）は、２次側通路（51b）に流入する直前の冷媒の温度を検出する。また、第１流出温度センサ（66）は、２次側通路（51b）に流出した直後の冷媒の温度を検出する。
【００６０】
低圧液配管（55）には、蒸発器（35）の流入側に第２流入温度センサ（67）が設けられている。第２流入温度センサ（67）は、蒸発器（35）に流入する直前の冷媒の温度を検出する。低圧ガス配管（57）には、蒸発器（35）の流出側に第２流出温度センサ（68）がもうけられ。第２流出温度センサ（68）は、蒸発器（35）から流出した直後の冷媒の温度を検出する。
【００６１】
トレーラ（11）の庫外には、放熱器（32）の吸込側に外気温度センサ（69）が設けられている。外気温度センサ（69）は、放熱器（32）を通過した直後の庫外空気の温度（即ち、外気の温度）を検出する。トレーラ（11）の庫内には、蒸発器（35）の吸込側に吸込温度センサ（70）が設けられ、蒸発器（35）の吹出側に吹出温度センサ（71）が設けられている。吸込温度センサ（70）は、蒸発器（35）を通過する直前の庫内空気の温度を検出する。吹出温度センサ（71）は、蒸発器（35）を通過した直後の庫内空気の温度を検出する。つまり、吸込温度センサ（70）は、庫内空気の温度を検出するための温度検出部を構成している。
【００６２】
更に、トレーラ（11）の庫内には、庫内湿度センサ（72）が設けられている。庫内湿度センサ（72）は、蒸発器（35）の吸込側（上流側）の空気の湿度を検出する。つまり、庫内湿度センサ（72）は、庫内空間（13）から循環流路（18）へ返送される庫内空気の湿度を検出する湿度検出部を構成している。
【００６３】
冷凍装置（20）には、冷凍サイクルユニット（30）を制御するための制御部として、コントローラ（80）が設けられている。即ち、コントローラ（80）は、上述した各種のセンサの検出信号に基づいて、例えば圧縮機（31）のモータの回転数、各ファン（34,36）のモータの回転数、各電磁弁（MV1,MV2）や膨張弁（37）の開度、各開閉弁（SV1,SV2,SV3）の開閉状態等を制御する。
【００６４】
また、図４に示すように、本実施形態のコントローラ（80）は、冷凍サイクルユニット（30）を制御してトレーラ（11）の気密性能を診断するための診断運転を実行する診断運転実行部（81）と、この診断運転時に、トレーラ（11）の性能を判定する性能判定部（82）とを備えている。診断運転実行部（81）は、ユーザー等が診断運転を開始させるための操作部（81a）と、この診断運転中に冷凍サイクルユニット（30）を制御する制御部（81b）とを備えている。性能判定部（82）は、カウンター（82a）と演算部（82b）とを備えている。
【００６５】
コントローラ（80）は、デフロスト開始判定部（83）とデフロスト制御部（84）とデフロスト終了判定部（85）とを更に備えている。デフロスト開始判定部（83）は、蒸発器（35）の着霜量が所定量を上回ると、蒸発器（35）の除霜を行うデフロスト動作を開始させるものである。デフロスト制御部（84）は、デフロスト動作時に冷凍サイクルユニット（30）を制御するものである。デフロスト終了判定部（85）は、デフロスト動作中に蒸発器（35）の着霜量が所定量を下回ると、デフロスト動作を終了させるものである。
【００６６】
本実施形態では、蒸発器（35）の着霜量を検出する着霜検出部として、上述した第２流入温度センサ（67）及び第２流出温度センサ（68）が用いられる。つまり、蒸発器（35）の着霜量が多い場合、蒸発器（35）内の冷媒とトレーラ（11）内の空気との伝熱が阻害されてしまう。その結果、蒸発器（35）に流入する冷媒の温度EISと、蒸発器（35）を流出した冷媒の温度EOSとの温度差（EOS-EIS）が小さくなる。逆に、蒸発器（35）の着霜量が少ない場合、冷媒と庫内空気との伝熱が促進されることから、この温度差（EOS-EIS）が大きくなる。そこで、本実施形態では、蒸発器（35）の前後の冷媒の温度差（EOS-EIS）を、蒸発器（35）の着霜量を示す指標として利用している。
【００６７】
より詳細に、まず、デフロスト開始判定部（83）は、第２流入温度センサ（67）で検出した冷媒の温度（EIS）と、第２流出温度センサ（68）で検出した冷媒の温度（EOS）とが入力される入力部と、これらの入力値より温度差（EOS-EIS）を算出し、算出した温度差（EOS-EIS）と基準値Ｘ１とを比較する演算部とを有する（図示省略）。温度差（EOS）が基準値Ｘ１より小さい場合には、蒸発器（35）の着霜量が多く伝熱が阻害されていると判断できる。そこで、デフロスト開始判定部（83）は、温度差（EOS-EIS）がＸ１よりも小さくなると、デフロスト動作を開始させる。なお、基準値Ｘ１は、蒸発器（35）の着霜量が所定の上限量を上回る場合に相当する、蒸発器（35）の前後の冷媒の温度差であり、予め経験的に求められてデフロスト開始判定部（83）に設定されている。
【００６８】
同様にして、デフロスト終了判定部（85）は、第２流入温度センサ（67）で検出した冷媒の温度（EIS）と、第２流出温度センサ（68）で検出した冷媒の温度（EOS）とが入力される入力部と、これらの入力値より温度差（EOS-EIS）を算出し、算出した温度差（EOS-EIS）と基準値Ｘ２とを比較する演算部とを有する（図示省略）。温度差（EOS）が基準値Ｘ２より大きい場合には、蒸発器（35）が除霜されて伝熱が促進されていると判断できる。そこで、デフロスト終了判定部（85）は、温度差（EOS-EIS）がＸ２よりも大きくなると、デフロスト動作を終了させる。なお、基準値Ｘ２は、蒸発器（35）の着霜量が所定の許容値を下回る場合に相当する、蒸発器（35）の前後の冷媒の温度差であり、予め経験的に求められてデフロスト終了判定部（85）に設定されている。
【００６９】
−運転動作−
次に、冷凍装置（20）の運転動作について説明する。冷凍装置（20）は、通常運転としての「冷却運転」を行うように構成されている。また、冷凍装置（20）は、トレーラ（11）の性能（気密性能や断熱性能）を判定するための診断運転を行うように構成されている（詳細は後述する）。更に、冷凍装置（20）は、これらの通常運転や診断運転において、蒸発器（35）に付着した霜を融かすための、デフロスト動作を適宜行うように構成されている。
【００７０】
〈冷却運転〉
冷却運転の基本的な運転動作について、図２及び図５を参照しながら説明する。
【００７１】
冷却運転では、第１開閉弁（SV1）が開放状態となり、第３開閉弁（SV3）が閉鎖状態となる。第１電動弁（MV1）は、全開状態となり、第２電動弁（MV2）及び膨張弁（37）の開度が適宜調節される。また、圧縮機（31）、庫外ファン（34）、及び庫内ファン（36）が運転される。
【００７２】
圧縮機（31）で圧縮された冷媒は、放熱器（32）で凝縮（放熱）した後、レシーバ（48）を通過する。レシーバ（48）を通過した冷媒は、一部が低圧液配管（55）をそのまま流れ、残りはインジェクション配管（52）に分流する。低圧液配管（55）を流れた冷媒は、膨張弁（37）で減圧された後、蒸発器（35）を流れる。蒸発器（35）では、冷媒が庫内空気から吸熱して蒸発する。これにより、庫内空間（13）の空気が冷媒によって冷却される。蒸発器（35）で蒸発した冷媒は、圧縮機（31）に吸入される。
【００７３】
インジェクション配管（52）に分流した冷媒は、第２電動弁（MV2）を通過して中間圧にまで減圧された後、プレート熱交換器（51）の２次側通路（51b）を流れる。プレート熱交換器（51）では、１次側通路（51b）を流れる冷媒と、２次側通路（51b）を流れる冷媒とが熱交換する。その結果、１次側通路（51b）の冷媒が過冷却される一方、２次側通路（51b）の冷媒が蒸発する。２次側通路（51b）を流出した冷媒は、圧縮機（31）の中間ポートより中間圧力状態の圧縮室に吸入される。
【００７４】
冷却運転においては、圧縮機（31）のモータの回転数（即ち、圧縮機（31）の運転周波数）が制御される。具体的に、圧縮機（31）の運転周波数は、庫内温度SSが目標温度SPに近づくように制御される。より詳細に、冷却運転時の圧縮機（31）の運転周波数は、庫内温度SSが目標温度SPに収束するようにＰＩＤ制御によって調整される。また、冷却運転においては、庫外ファン（34）のモータの回転数も制御される。具体的に、庫外ファン（34）のモータの回転数は、高圧圧力センサ（60）で検出した高圧冷媒の圧力ＨＰが一定となるように制御される。また、庫内ファン（36）のモータの回転数は、庫内の冷却負荷に応じて多段階に制御される。
【００７５】
冷却運転では、膨張弁（37）の開度が、いわゆる過熱度制御によって調節される。具体的に、圧縮機（31）に吸入される低圧冷媒の過熱度が、所定の設定過熱度に近づくように膨張弁（37）の開度が制御される。また、冷却運転では、第２電動弁（MV2）の開度も、いわゆる過熱度制御によって調節される。具体的に、プレート熱交換器（51）の２次側通路（51b）を流出した中間圧冷媒の過熱度が、所定の設定過熱度に近づくように、膨張弁（37）の開度が制御される。
【００７６】
〈デフロスト動作〉
上述した冷却運転を継続して行うと、蒸発器（35）の伝熱管等の表面に霜が付着し、この霜が徐々に成長して肥大化していく。このため、冷凍装置（20）では、このような蒸発器（35）の除霜を行うためのデフロスト動作が適宜実行される。
【００７７】
本実施形態において、デフロスト動作を開始するか否かの判定は、デフロスト開始判定部（83）によって行われる。具体的に、デフロスト開始判定部（83）は、蒸発器（35）に流入する冷媒の温度EISと、蒸発器（35）から流出した冷媒の温度EOSとの温度差（EOS-EIS）を適宜算出する。算出された温度差（EOS-EIS）が基準値Ｘ１以上である場合、蒸発器（35）では、冷媒と空気とが十分に熱交換しているとみなされる。従って、この場合には、冷却運転が継続して行われる。
【００７８】
一方、算出された温度差（EOS-EIS）が基準値Ｘ１より小さい場合、蒸発器（35）では、
着霜量が多く、冷媒と空気とが十分に熱交換していないとみなされる。従って、この場合には、デフロスト動作が実行される。
【００７９】
本実施形態のデフロスト動作は、いわゆるホットガスデフロスト方式である。具体的には、図６に示すように、第１開閉弁（SV-1）及び第２開閉弁（SV-2）が閉鎖状態となり、第３開閉弁（SV3）を開放状態とする。また、第１電動弁（MV1）は、原則として、最小の開度となり、第２電動弁（MV1）及び膨張弁（37）が全閉状態（ゼロパルス）となる。また、圧縮機（31）が運転される一方、庫外ファン（4）及び庫内ファン（36）は停止状態となる。
【００８０】
圧縮機（31）で圧縮された冷媒は、ホットガスバイパス回路（42）を経由して蒸発器（35）へ供給される。具体的に、高圧ガス冷媒は、主管（52）を流れた後、第１分岐管（53）と第２分岐管（54）とへ分流する。第２分岐管（54）へ分流した冷媒は、ドレンパンヒータ（56）を通過する。ここで、ドレンパン（44）の内部には、蒸発器（35）の表面から剥がれ落ちた氷塊等が回収されている。この氷塊等は、ドレンパンヒータ（56）の内部を流れる冷媒によって加熱されて融解する。融解した水は、所定の流路を通じて庫外へ排出される。
【００８１】
ドレンパンヒータ（56）を流出した冷媒は、第１分岐管（53）を流出した冷媒と合流し、蒸発器（35）を流れる。蒸発器（35）では、伝熱管の内部を高圧ガス冷媒（いわゆるホットガス）が流通する。このため、蒸発器（35）では、伝熱管の周囲に付着した霜が、冷媒によって内部から徐々に加熱される。その結果、蒸発器（35）に付着した霜が徐々に融かされ、伝熱管から剥がれ落ちていく。伝熱管から剥がれ落ちた霜（氷塊）は、ドレンパン（44）に回収される。蒸発器（35）の除霜に利用された冷媒は、圧縮機（31）に吸入されて圧縮される。
【００８２】
なお、デフロスト動作時に蒸発器（35）から剥がれ落ちた霜（氷塊等）は、ドレンパン（44）に回収され、その後にドレンパンヒータ（56）に加熱されて液体となる。この液体（いわゆるドレン水）は、ドレンパン（44）から所定の排出路を通じて、トレーラ（11）の庫外へ排出される。
【００８３】
〈診断運転〉
上述のように、冷凍装置（20）は、冷却庫としてのトレーラ（11）の気密性能を診断する診断運転を行うように構成されている。この診断運転は、トレーラ（11）の開口部（14）にケーシング本体部（21）が取り付けられた後に実行される。なお、本実施形態では、ユーザー等が操作部（81a）を操作することで、診断運転が実行される。しかしながら、例えばトレーラ（11）に冷凍装置（20）が取り付けられた後、初回の運転で自動的に診断運転を実行させるようにしても良い。
【００８４】
診断運転が実行されると、まず、トレーラ（11）内を冷却する冷却動作が実行される。この冷却動作では、上記の冷却運転と同様、圧縮機（31）が運転されて冷媒回路（40）で冷凍サイクルが行われ、蒸発器（35）によってトレーラ（11）（庫内）の冷却が行われる。また、この冷却動作では、上記の冷却運転と同様、庫外ファン（34）と庫内ファン（36）とが運転状態となる。
【００８５】
図７に示すように、診断運転では、まず冷却動作が実行されることで、トレーラ（11）内の温度が所定の目標温度（例えば−５℃）に近づくように、トレーラ（11）内の庫内空気が冷却される。この冷却動作は、診断運転実行部（81）に設定された所定の設定時間に亘って継続して行われる。なお、この設定時間は、トレーラ（11）内の空気が露点温度以下まで冷却され、この空気中の水分が凝縮して空気の除湿が行われる時間に設定されている。
【００８６】
即ち、診断運転において、まず、冷却動作が実行されると、トレーラ（11）内の空気（例えば３０℃）が徐々に冷却され、露点温度（例えば１０℃）以下となる。これにより、空気中の水分が凝縮して空気の除湿が行われる。その後、冷却動作が開始してから所定の設定時間が経過すると、カウンター（82a）が作動する。つまり、診断運転では、冷却動作が実行されてから所定の時間が経過すると、ｔ１の時点においてカウンター（82a）が作動する。
【００８７】
その後、更に冷却動作が継続して行われると、トレーラ（11）内の庫内空気の温度が更に低下していく。この際、この診断運転において、トレーラ（11）の開口部（14）に対するケーシング本体部（21）の取り付け不良に起因して、トレーラ（11）の開口部（14）とケーシング本体部（21）との間に隙間が形成されてしまったとする。このようにしてトレーラ（11）の気密性能が低下してしまった場合、トレーラ（11）の外側の空気（庫外の空気）の熱が、トレーラ（11）内の庫内空間（13）に侵入してしまう。その結果、冷凍サイクルユニット（30）は所期の能力が発揮されているにも拘わらず、庫内空間（13）を効率良く冷却できない、という不具合が生じてしまう。そこで、診断運転では、このようなトレーラ（11）の気密性能を自動的に判定するようにしている。
【００８８】
具体的に、冷却動作が実行されて上記のｔ１の時点からカウンター（82a）が作動した後において、仮にトレーラ（11）の庫内空間（13）に外気が侵入していたとする。この場合には、外気中の水分が庫内空間（13）に漸次侵入していく。そうすると、循環流路（18）を流れて蒸発器（35）を通過する空気中の水分が、蒸発器（35）の表面に付着して霜となる。つまり、トレーラ（11）の気密性能が不十分な場合、蒸発器（35）の着霜量が徐々に増大していく。診断運転では、このような蒸発器（35）の着霜量が、上述した着霜検知部（即ち、第２流入温度センサ（67）及び第２流出温度センサ（68））によって検出される
より詳細に、ｔ１の時点の後、デフロスト開始判定部（83）において、蒸発器（35）の前後の冷媒の温度差（EOS-EIS）が基準値Ｘ１より小さいと判定されると、上述したように、デフロスト動作が実行される。カウンター（82a）は、時点ｔ１から、デフロスト動作が開始された時点ｔ２までの時間Δｔ１を計測する。ここで、このΔｔ１が、所定の基準時間Δｔs１よりも小さい場合、外気侵入に起因して庫内に水分が入り込んで蒸発器（35）の着霜量が増大したと判断できる。そこで、性能判定部（82）の演算部（82b）により、Δｔ１がΔｔｓ１よりも小さいと判定されると、外気侵入が生じている判断して、表示部（86）に「外気侵入あり（気密性能が不十分である）のアラートが表示される。ユーザー等は、この表示部（86）のアラートを目視することで、トレーラ（11）に隙間が形成されていることを把握できる。従って、ユーザー等は、トレーラ（11）の隙間を埋めるように、迅速な対応を行うことができる。なお、上記の基準時間Δｔｓ１は、予め経験的に求められた値であり、コントローラ（80）に設定されている。
【００８９】
一方、上記のΔｔ１が、基準時間Δｔｓ１よりも大きい場合、庫内にさほど水分が侵入しておらず、蒸発器（35）の着霜量も少ないとみなすことができる。従って、性能判定部（82）の演算部（82b）により、Δｔ１がΔｔｓ１以上であると判定されると、外気侵入がないとみなして、表示部（86）に「外気侵入なし（気密性能が十分である）」のアラートが表示される。
【００９０】
−実施形態１の効果−
上記実施形態１では、トレーラ（11）の開口部（14）にケーシング本体部（21）が取り付けられる冷凍装置（20）において、トレーラ（11）の気密性能を判定する診断運転を実行できるようにしている。これにより、ユーザー等は、トレーラ（11）の開口部（14）や扉部（15）等に隙間が形成されていることを迅速に把握することができる。従って、冷凍装置（20）の据え付け時において、トレーラ（11）の気密性能を速やかに改善でき、装置全体としての省エネ性を向上できる。
【００９１】
また、上記実施形態では、通常の冷却運転でも実行されるデフロスト動作の開始のタイミング（Δｔ１）を利用して、外気侵入を把握するようにしている。従って、特別な機器を付加することなく、トレーラ（11）の外気侵入を把握できる。
【００９２】
また、上記実施形態では、診断運転の冷却動作中に、庫内ファン（36）を運転することで、庫内空間（13）の空気を循環させるようにしている。これにより、トレーラ（11）を速やかに冷却でき、診断運転を短期化できる。しかも、冷却動作での庫内の目標温度は、空気中の水分の露点温度以下（例えば−５℃）に設定されている。このため、冷却動作において、庫内空気中の水分を凝縮させてこの空気を除湿することができる。従って、その後のｔ１からｔ２に至るまでの期間において、外気侵入による庫内への水分の侵入をより正確に把握することができる。
【００９３】
〈実施形態１の変形例〉
上記実施形態１においては、以下のような各変形例の構成を採用することもできる。
【００９４】
−実施形態１の変形例１−
上記実施形態１では、冷却動作の開始から所定の時間が経過した時点ｔ１から、デフロスト動作が開始される時点ｔ２までの間の期間Δｔ１を利用して、トレーラ（11）の外気侵入を判別するようにしている。しかしながら、デフロスト動作が実行される時間に基づいて、トレーラ（11）の外気侵入を把握するようにしても良い。
【００９５】
具体的には、図８に示すように、実施形態１の変形例１の性能判定部（82）は、デフロスト動作が開始される時点ｔ２から、デフロスト動作が終了する時点ｔ３までの間の時間Δｔ２に基づいて、トレーラ（11）の気密性能を判定するようにしている。より詳細には、診断運転が実行されると、まず、上記実施形態１と同様にして冷却動作が行われる。このような冷却動作中において、蒸発器（35）の温度差（EOS-EIS）が基準値Ｘ１より小さくなると、デフロスト開始判定部（83）がデフロスト動作を開始させる。カウンター（82a）は、このデフロスト動作の開始の時点ｔ２を検出する。
【００９６】
次いで、上記のようなデフロスト運転が行われると、蒸発器（35）の霜が融解していく。このデフロスト運転中において、蒸発器（35）の温度差（EOS-EIS）が基準値Ｘ２より大きくなると、デフロスト終了判定部（85）がデフロスト動作を終了させる。カウンター（82a）は、上記の時点ｔ２からデフロスト動作が終了する時点ｔ３までの間の時間Δｔ２を計測する。ここで、このΔｔ２が、所定の基準時間Δｔｓ２よりも大きい場合、外気侵入に起因して蒸発器（35）の着霜量が増大し、この霜を除去する時間が長くなったと判断できる。そこで、性能判定部（82）は、Δｔ２がΔｔｓ２よりも大きい場合、外気侵入が生じているとみなして、表示部（86）に「外気侵入あり（気密性能が不十分である）のアラートを表示する。ユーザー等は、この表示部（86）のアラートを目視することで、トレーラ（11）に隙間が形成されていることを把握できる。従って、ユーザー等は、トレーラ（11）の隙間を埋めるように、迅速な対応を行うことができる。なお、上記の基準時間Δｔｓ２は、予め経験的に求められた値であり、コントローラ（80）に設定されている。
【００９７】
一方、上記のΔｔ２が、基準時間Δｔｓ２よりも小さい場合、庫内にさほど水分が侵入しておらず、蒸発器（35）の着霜量も少ないと判断できる。従って、性能判定部（82）は、Δｔ１がΔｔｓ１以上である場合には、外気侵入がないとみなして、表示部（86）に「外気侵入なし（気密性能が十分である）」のアラートを表示する。
【００９８】
−実施形態１の変形例２−
上述した各実施形態では、トレーラ（11）の気密性能を判定するための基準時間Δｔ１やΔｔ２が所定の固定値となっている。しかしながら、この基準時間Δｔｓ１やΔｔｓ２を、庫外の空気条件に応じて補正するようにしても良い。
【００９９】
即ち、仮にトレーラ（11）に対して外気侵入がある場合、上記実施形態で計測されるΔｔ１（冷却動作からデフロスト動作が行われるまでの期間）や、Δｔ２（デフロスト動作の期間）は、外気の湿度によって変動する。従って、外気の湿度が極端に高い場合や低い場合において、上述した基準時間Δｔｓ１やΔｔｓ２を固定値としてトレーラ（11）の気密性能を判定すると、その判定結果が誤りとなる可能性がある。そこで、庫外の湿度を検出する外気湿度検出部を設け、検出した外気の湿度に応じて、基準時間Δｔｓ１やΔｔｓ２を補正するようにしても良い。具体的に、例えば外気の湿度が比較的高い場合、外気侵入によって蒸発器（35）の着霜量が多くなり易い。そこで、このような場合には、基準時間Δｔｓ１を大きく、あるいは基準時間Δｔｓ２を小さく補正する。逆に、外気の湿度が比較的低い場合、基準時間Δｔｓ１を小さく、あるいは基準時間Δｔｓ２を大きく補正する。これにより、外気の湿度を考慮しながら、トレーラ（11）の気密性能を判定できるため、この判定結果の精度が向上する。なお、外気湿度検出部は、庫外に配置された湿度センサでも良いし、例えば庫内空間（13）を冷却する前の庫内空気の湿度を検出する庫内湿度センサ（72）であっても良い。つまり、トレーラ（11）において、庫内空間（13）を冷却する前の庫内空気の湿度は、概ね庫外空気の湿度と同等である。従って、診断運転を開始する直前に、庫内湿度センサ（72）によって庫内空気の湿度を検出することで、実質的には庫外空気の湿度を検出することができる。
【０１００】
−実施形態１の変形例３−
上記実施形態１と、上記実施形態１の変形例１とを組み合わせる構成としても良い。つまり、性能判定部（82）において、Δｔ１とΔｔｓ１とを比較し、更にΔｔ２とΔｔｓ２とを比較するようにしても良い。これらを組み合わせることで、トレーラ（11）の気密性能の判定精度を更に向上できる。
【０１０１】
《発明の実施形態２》
本発明の実施形態２に係る冷凍装置（20）は、上記実施形態１とトレーラ（11）の診断運転の方法が異なるものである。具体的に、図９に示すように、実施形態２のコントローラ（80）には、上記実施形態１のデフロスト開始判定部（83）に替わって、冷却動作タイマー（88）が設けられている。実施形態２の診断運転実行部（81）は、上述した通常の冷却運転と同様の診断運転を行うよう、冷凍サイクルユニット（30）を制御する。つまり、診断運転では、蒸発器（35）によって庫内空間（13）を冷却する冷却動作が行われ、この冷却動作の後にデフロスト動作が行われ、このデフロスト動作の後に、冷却動作が再開される。即ち、診断運転では、例えば図１０に示すように、冷却動作とデフロスト動作とが交互に実行される。
【０１０２】
より詳細に、診断運転では、まず、上述した冷却運転と同様にして、冷却動作が行われる。この冷却動作では、庫内空間（13）の空気が露点温度以下まで冷却され、空気の除湿が行われる。一方、実施形態２では、冷却動作タイマー（88）に所定の時間が設定されている。実施形態２では、冷却動作が開始されてから、この設定時間が経過すると、自動的にデフロスト動作が実行される。
【０１０３】
実施形態２においても、上記実施形態１と同様のデフロスト動作が行われる。また、このデフロスト動作中には、上記実施形態１と同様にして、デフロスト終了判定部（85）がデフロスト動作の終了のタイミングを判定する。つまり、デフロスト終了判定部（85）は、蒸発器（35）の前後の冷媒の温度差（EOS-EIS）が基準値Ｘ２よりも大きくなると、デフロスト動作を終了させる。実施形態２では、デフロスト動作の終了後に、再び冷却動作が設定時間の間継続して行われる。
【０１０４】
このような実施形態２の診断運転では、繰り返し行われるデフロスト動作の実行時間を、今回とその前回とで比較することで、トレーラ（11）の気密性能が判定される。具体的に、診断運転では、例えば図１０(Ａ)に示すように、今回のデフロスト動作の実行時間（例えば図１０(Ａ)のΔｔｄ２）と、このデフロスト動作の前の回のデフロスト動作の実行時間（例えば図１０(Ａ)のΔｔｄ１）とを比較する。
【０１０５】
ここで、仮に実施形態２のトレーラ（11）の気密性能が十分に確保されていたとする。このような場合には、冷却動作及びデフロスト動作が行われる度に、庫内空間（13）の空気の湿度が低くなっていく。よって、仮にトレーラ（11）内への外気侵入が実質的にない場合には、診断運転の経過に応じて、デフロスト動作の実行時間が短くなっていく（図１０(Ａ)を参照）。
【０１０６】
実施形態２では、トレーラ（11）の外気侵入がない場合には、デフロスト動作の実行時間が徐々に短くなることを利用して、トレーラ（11）の気密性能を判定している。具体的に、性能判定部（81）のカウンター（82a）は、デフロスト動作の実行時間を各回計測する。そして、性能判定部（81）の演算部（82b）は、今回のデフロスト動作の実行時間（例えばΔＴｄ２）と、前回のデフロスト動作の実行時間（例えばΔＴｄ１）とを比較する。ここで、図１０(Ａ)に示すように、今回のデフロスト運転の実行時間（ΔＴｄ２）が、前回のデフロスト運転の実行時間（ΔＴｄ１）よりも短くなった場合、性能判定部（81）は、表示部（86）に「外気侵入なし（気密性能が十分である）」のアラートを表示する。
【０１０７】
これに対し、トレーラ（11）の外気侵入がある場合には、冷却動作及びデフロスト動作を交互に繰り返しても、庫内空間（13）の湿度がなかなか下がらない。この場合には、蒸発器（35）の着霜量も多くなるため、デフロスト動作の実行時間も長くなる。よって、この場合には、例えば図１０(Ｂ)に示すように、今回のデフロスト運転の実行時間（Δｔｄ２）が前回のデフロスト運転の実行時間（Δｔｄ1）よりも短くならない。そこで、このような場合には、性能判定部（81）は、表示部（86）に「外気侵入あり（気密性能が不十分である）」のアラートを表示する。つまり、実施形態２では、デフロスト動作の実行時間を前後で比較し、デフロスト動作が前回よりも今回の方が短くなった場合に、「外気侵入あり」と判定し、そうでない場合（前回よりも今回の方が長い、あるいは同じである場合）に、「外気侵入なし」と判定する。
【０１０８】
〈実施形態２の変形例〉
上記実施形態２においては、以下のような各変形例の構成を採用することもできる。
【０１０９】
−実施形態２の変形例１−
上記実施形態２では、冷却動作の実行時間を所定の設定時間として一定とする一方、デフロスト終了判定部（85）の判定によってデフロスト動作を終了させている。そして、各デフロスト動作の実行時間を前後で比較することで、トレーラ（11）の気密判定を行っている。しかしながら、例えば図１１及び図１２に示すように、デフロスト動作を所定の設定時間として一定とする一方、デフロスト開始判定部（83）の判定によってデフロスト動作を開始させる構成としても良い。
【０１１０】
具体的に、この変形例では、実施形態１のコントローラ（80）において、デフロスト終了判定部（85）に替わって、デフロストタイマー（87）が設けられている。この変形例では、デフロストタイマー（87）に所定の時間が設定されている。つまり、この変形例では、デフロスト動作が開始されてから、この設定時間が経過すると、自動的に冷却動作が実行される。一方、この変形例の冷却動作中には、デフロスト開始判定部（83）によって、デフロスト動作の開始のタイミングが判定される。
【０１１１】
診断運転実行部（81）は、上述した通常の冷却運転と同様の診断運転を行うよう、冷凍サイクルユニット（30）を制御する。つまり、診断運転では、蒸発器（35）によって庫内空間（13）を冷却する冷却動作が行われ、この冷却動作の後にデフロスト動作が行われ、このデフロスト動作の後に、冷却動作が再開される。即ち、診断運転では、例えば図１２に示すように、冷却動作とデフロスト動作とが交互に実行される。
【０１１２】
より詳細に、診断運転では、まず、上述した冷却運転と同様にして、冷却動作が行われる。この冷却動作では、庫内空間（13）の空気が露点温度以下まで冷却され、空気の除湿が行われる。この冷却動作中において、蒸発器（35）の前後の冷媒の温度差（EOS-EIS）が、基準値Ｘ１より小さくなると、デフロスト開始判定部（83）によってデフロスト動作が開始される。デフロスト動作が開始すると、デフロストタイマー（87）により所定の設定時間がカウントされる。この設定時間が経過すると、デフロスト動作が終了して冷却動作が再び実行される。
【０１１３】
この変形例の診断運転では、繰り返し行われる冷却動作の実行時間を、今回とその前回とで比較することで、トレーラ（11）の気密性能が判定される。具体的に、診断運転では、例えば図１２(Ａ)に示すように、今回の冷却動作の実行時間（例えば図１２(Ａ)のΔｔｃ２）と、この冷却動作の前の回の冷却動作の実行時間（例えば図１２(Ａ)のΔｔｃ１）とを比較する。
【０１１４】
ここで、仮に変形例のトレーラ（11）の気密性能が十分に確保されていたとする。このような場合には、冷却動作及びデフロスト動作が行われる度に、庫内空間（13）の空気の湿度が低くなっていく。よって、仮にトレーラ（11）内への外気侵入が実質的にない場合には、診断運転の経過に応じて、冷却動作の実行時間が長くなっていく（図１２(Ａ）を参照）。そこで、この変形例では、トレーラ（11）の外気侵入がない場合には、冷却動作の実行時間が徐々に長くなることを利用して、トレーラ（11）の気密性能を判定している。
【０１１５】
具体的に、性能判定部（81）のカウンター（82a）は、冷却動作の実行時間を各回計測する。そして、性能判定部（81）の演算部（82b）は、今回の冷却動作の実行時間（例えばΔＴｃ２）と、前回の冷却動作の実行時間（例えばΔＴｃ１）とを比較する。ここで、図１２(Ａ)に示すように、今回の冷却動作の実行時間（ΔＴｃ２）が、前回の冷却動作の実行時間（ΔＴｃ１）よりも長くなった場合、性能判定部（81）は、表示部（86）に「外気侵入なし（気密性能が十分である」のアラートを表示する。
【０１１６】
これに対し、トレーラ（11）の外気侵入がある場合には、冷却動作及びデフロスト動作を交互に繰り返しても、庫内空間（13）の湿度がなかなか下がらない。この場合には、蒸発器（35）の着霜量も多くなるため、デフロスト運転が開始されるタイミングが遅くなり、冷却動作の実行時間が長くならない。よって、この場合には、例えば図１２(Ｂ)に示すように、今回の冷却動作の実行時間（Δｔｃ２）が前回の冷却動作の実行時間（Δｔｃ１）より長くならない。そこで、このような場合には、性能判定部（81）は、表示部（86）に「外気侵入あり（気密性能が不十分である）」のアラートを表示する。つまり、この変形例では、冷却動作の実行時間を前後で比較し、冷却動作が前回よりも今回の方が長くなった場合に、「外気侵入あり」と判定し、そうでない場合（前回よりも今回の方が短い、あるいは同じである場合）に、「外気侵入なし」と判定する。
【０１１７】
−実施形態２の変形例２−
上記実施形態２と、上記実施形態２の変形例１とを組み合わせる構成としても良い。つまり、デフロスト開始判定部（83）とデフロスト終了判定部（85）との双方を設けて、冷却動作とデフロスト動作とを交互に行い、前後の冷却動作の実行時間の比較と、前後のデフロスト動作の実行時間の比較との双方を行い、トレーラ（11）の気密性能の判定しても良い。
【０１１８】
《発明の実施形態３》
本発明の実施形態３に係る冷凍装置（20）は、上記実施形態１及び２と、トレーラ（11）の診断方法が異なるものである。具体的に、図１３に示すように、実施形態３のコントローラ（80）では、性能判定部（81）に設定部（82c）と入力部（82d）と演算部（82b）とが設けられている。
【０１１９】
設定部（82c）には、診断運転中において、蒸発器（35）を一時的に停止させる休止動作の期間ｔsetが設定されている。入力部（82d）には、庫内空間（13）の空気の温度（庫内温度）、及び庫内空間（13）の空気の湿度（庫内湿度）が入力される。庫内温度は、上述した吸込温度センサ（70）によって検出され、庫内湿度は、上述した庫内湿度センサ（72）によって検出される。なお、庫内湿度センサ（72）は、庫内空気の絶対湿度を検出するように構成されている。しかしながら、庫内湿度センサ（72）は、相対湿度を算出するものであっても良い。この場合にも、例えば演算部（82b）において、庫内空気の温度と相対湿度とから、該庫内空気の絶対湿度を算出することができる。
【０１２０】
実施形態３の診断運転は、トレーラ（11）に冷凍装置（20）が搭載された後、初回の運転で実行される。図１４に示すように、この診断運転では、冷却動作の後に上記休止動作が行われ、再び冷却動作が行われる。
【０１２１】
具体的に、診断運転が開始されると、まず、上記の実施形態と同様の冷却動作が行われる。つまり、冷媒回路（40）で冷凍サイクルが行われ、蒸発器（35）によってトレーラ（11）の庫内空間（13）の空気が冷却される。また、この冷却動作では、庫内ファン（36）が運転されることで、庫内空間（13）の空気が循環される。この冷却動作により、例えば３０℃であった庫内空気が、目標温度（例えば５℃）まで冷却される。
【０１２２】
このようにして、庫内空気の温度が目標温度に収束すると、制御部（81b）によって休止動作が実行される。この休止動作では、圧縮機（31）が停止されることで、蒸発器（35）の冷却機能も実質的に停止する。一方、この冷却動作から休止動作へ移行しても、庫内ファン（36）の運転は継続される。
【０１２３】
この休止動作は、設定部（82c）の設定期間ｔsetの間だけ継続して行われる。休止動作において蒸発器（35）が停止すると、庫内空間（13）の温度が徐々に上昇していく。ここで、仮にトレーラ（11）の断熱性能や気密性能が低い場合、設定期間ｔsetにおける庫内空気の温度上昇の傾きは比較的大きくなる。逆にトレーラ（11）の断熱性能や気密性能が高い場合、設定期間ｔsetにおける庫内空気の温度上昇は緩やかとなる。加えて、トレーラ（11）の気密性能が低い場合、この設定期間tsetにおいて、庫内空気の湿度上昇の傾きが比較的大きくなる。逆に、トレーラ（11）の気密性能が十分ある場合、設定期間tsetにおいて、庫内空気の湿度は上昇しない。
【０１２４】
そこで、実施形態３の性能判定部（82）は、設定期間ｔsetにおける庫内空気の温度変化と、設定期間ｔsetにおける湿度変化に基づいて、トレーラ（11）の性能を判定する。
【０１２５】
具体的に、性能判定部（82）の入力部（82d）には、休止動作の開始の時点（図１４におけるＡ点）において、吸込温度センサ（70）で検出された庫内温度ＴAと、庫内湿度センサ（72）で検出された庫内湿度ＨAとが入力される。その後、設定期間ｔsetが経過して休止動作が終了する。すると、この終了の時点（図１４におけるＢ点）において、吸込温度センサ（70）で検出された庫内温度ＴBと、庫内湿度センサ（72）で検出された庫内湿度ＨBとが、入力部（82d）に入力される。
【０１２６】
演算部（82b）は、Ａ点とＢ点との間の庫内温度の差（ＴB-ＴA）と、Ａ点とＢ点との間の庫内湿度の差（ＨB-ＨA）とを算出する。性能判定部（82）は、まず、庫内湿度の差（HＢ−ＨA）が基準値Ｘ３（例えば０）よりも大きい場合（即ち、庫内湿度が上昇した場合）、tsetの期間で外気が侵入したとみなして、「外気侵入あり（気密性能が不十分である」ことを表示部（86）に表示させる。一方、庫内湿度の差（ＨB−ＨA）が基準値Ｘ３（例えば０）以下である場合、tsetの期間で外気侵入がなかったとみなして、「外気侵入なし（気密性能が十分である」ことを表示部（86）に表示させる。
【０１２７】
次いで、性能判定部（82）は、庫内温度の差（ＴB-ＴA）が基準値Ｘ４よりも大きいか否かを判定する。ここで、仮に先程の庫内湿度の判定において、「外気侵入なし」と判定されているにも拘わらず、庫内温度の差（ＴB-ＴA）が基準値Ｘ４を上回っている場合、外気が侵入していないのに、庫内温度が上昇し易いことになる。従って、この場合には、表示部（86）に「断熱性能が不十分である」ことが表示される。また、先程の庫内湿度の判定で「外気侵入なし」と判定され、且つ庫内温度の差（ＴB-ＴA）が基準値Ｘ４以下である場合、外気侵入もなく、庫内温度の上昇の傾きも低いことになる。従って、この場合には、表示部（86）に「断熱性能が十分である」ことが表示される。
【０１２８】
なお、上記の基準値Ｘ３やＸ４は、経験的あるいは理論的に決定された値である。特に、基準値Ｘ４は、運転中の庫内ファン（36）の発熱量を考慮して決定されている。
【０１２９】
《その他の実施形態》
上記実施形態については、以下のような構成としてもよい。
【０１３０】
上記実施形態では、性能判定部（82）により、トレーラ（11）の気密性能や断熱性能が判定されると、これを表示部（86）に表示してユーザー等に知らせるようにしている。しかしながら、例えば図１５に示すように、この表示部（86）に替わって、性能判定部（82）に冷凍装置（20）の運転能力を更正する運転更正部（89）を設けるようにしても良い。つまり、例えば性能判定部（82）により、トレーラ（11）の気密性能や断熱性能が低いと判断されたとする。このような場合に、運転更正部（89）が、圧縮機（31）の運転周波数を上昇させて蒸発器（35）の冷却能力を自動的に上昇させたり、上記のデフロスト動作の実行時間を長めに補正したり、するようにしても良い。このような構成とすることで、トレーラ（11）の性能に問題があった場合にも、自動的にバックアップ運転を行い、冷却性能を保証することができる。なお、上記の表示部（86）と運転更正部（89）との双方を備えた構成としても良いのは勿論である。
【０１３１】
また、上記実施形態において、トレーラ（11）の診断運転の前に、冷凍サイクルユニット（30）の性能を自動的に診断するようにしても良い。具体的に、例えば冷凍サイクルユニット（30）の圧縮機（31）や膨張弁（37）、各種のセンサ類等に異常がないかを判定し、これらに異常がない場合に、トレーラ（11）の診断運転を実行させるようにしても良い。
【０１３２】
また、上記実施形態の冷凍装置は、冷却庫としてのトレーラ（11）の庫内を冷却するものである。しかしながら、冷却庫としては、トレーラ（11）以外にも、船舶での食品等の輸送に用いられるコンテナや、米や花等が保管される倉庫等が挙げられ、これらの冷却庫に本発明を採用することもできる。
【０１３３】
なお、以上の実施形態は、本質的に好ましい例示であって、本発明、その適用物、あるいはその用途の範囲を制限することを意図するものではない。
【産業上の利用可能性】
【０１３４】
以上説明したように、本発明は、冷却対象物が貯蔵される冷却庫の開口部に取り付けられて、冷却庫内を冷却する冷凍装置について有用である。
【符号の説明】
【０１３５】
10      冷凍車両
11      トレーラ（冷却庫）
14      開口部
21      ケーシング本体部
30      冷凍サイクルユニット
31      圧縮機
32      放熱部
35      蒸発器
36      庫内ファン
70      吸込温度センサ（温度検出部）
72      庫内湿度センサ（湿度検出部）
81      診断運転実行部
82      性能判定部
83      デフロスト開始判定部
85      デフロスト終了判定部
【図１】
0005625582.tif 000002
【図２】
0005625582.tif 000003
【図３】
0005625582.tif 000004
【図４】
0005625582.tif 000005
【図５】
0005625582.tif 000006
【図６】
0005625582.tif 000007
【図７】
0005625582.tif 000008
【図８】
0005625582.tif 000009
【図９】
0005625582.tif 000010
【図１０】
0005625582.tif 000011
【図１１】
0005625582.tif 000012
【図１２】
0005625582.tif 000013
【図１３】
0005625582.tif 000014
【図１４】
0005625582.tif 000015
【図１５】
0005625582.tif 000016